(57)【特許請求の範囲】
【請求項１】
前方及び後方の各ガラス板を備えたガラス扉枠を遊技盤に対して開閉自在に設けたパチンコ機において、
前記遊技盤には、画像を表示し得るＣＲＴ表示装置を設け、
前記後方ガラス板には、前記ＣＲＴ表示装置の前端部を貫通し得る開口部を形成し、前記ガラス扉枠を閉じたときに前記ＣＲＴ表示装置の前端面が前記開口部を貫通して前記前方ガラス板に対面するようにしたことを特徴とするパチンコ機。
【請求項２】
前方及び後方の各ガラス板を備えたガラス扉枠を遊技盤に対して開閉自在に設けたパチンコ機において、
前記遊技盤には、画像を表示し得る液晶表示装置を設け、
前記後方ガラス板には、前記液晶表示装置の前端部を貫通し得る開口部を形成し、前記ガラス扉枠を閉じたときに前記液晶表示装置の前端面が前記開口部を貫通して前記前方ガラス板に対面するようにしたことを特徴とするパチンコ機。
【発明の詳細な説明】
【０００１】
【産業上の利用分野】
本発明は、前方及び後方の各ガラス板を備えたガラス扉枠を遊技盤に対して開閉自在に設けたパチンコ機に関するものである。
【０００２】
【従来の技術】
パチンコ機の遊技盤に設けられ且つあたかも３列のベルトが回転するように電気的な変動表示を行う変動表示装置として、近年、液晶表示装置が数多く使用されるようになってきた。このような液晶表示装置においては、複数の図柄を外周面に描いた円筒状の回転ドラムを機械的に回転駆動する回転ドラム装置、あるいは複数の図柄を外周面に描いた回転ベルトを機械的に回転駆動する回転ベルト装置に比べて、装置の大幅な薄型化を招来し、しかも大当り遊技時には、ベルトの回転（変動）表示に換えて、大当り遊技状態を盛り上げる画像や大当り遊技の情報を報知する画像を表示画面に映し出すことで、遊技に対する興趣を盛り上げていた。
【０００３】
【発明が解決しようとする課題】
ところが、上記従来のような液晶表示装置は、ＣＲＴの表示装置に比べてコストが高く、しかも表示画面の画質が劣るという問題を有していた。このため、液晶表示装置に比べてコストが安く且つ高画質なＣＲＴ表示装置を変動表示装置として使用することが考えられるが、ＣＲＴ表示装置自体の奥行きが極めて厚いので、パチンコ機全体としての薄型化がなし得なかった。しかも、パチンコ島台に背向して設置される各パチンコ機間の設置間距離は、遊技場におけるパチンコ島台の占有面積の削減等から、必要最小限の値に設定されているので、ＣＲＴ表示装置をパチンコ機に設ける場合には、パチンコ島台にパチンコ機が設置し得る薄型（小型）のＣＲＴ表示装置しか搭載し得ず、結果として、変動表示装置としての表示画面が小さくなるということが予想される。本発明は、上記した事情に鑑みなされたもので、その目的とするところは、表示画面の大きなＣＲＴ表示装置を搭載してもパチンコ島台への設置が可能なパチンコ機を提供することにある。
【０００４】
【課題を解決するための手段】
上記した目的を達成するために、本発明においては、
前方及び後方の各ガラス板を備えたガラス扉枠を遊技盤に対して開閉自在に設けたパチンコ機において、
前記遊技盤には、画像を表示し得るＣＲＴ表示装置を設け、前記後方ガラス板には、前記ＣＲＴ表示装置の前端部を貫通し得る開口部を形成し、前記ガラス扉枠を閉じたときに前記ＣＲＴ表示装置の前端面が前記開口部を貫通して前記前方ガラス板に対面するようにしたことを特徴とするものである。また、ＣＲＴ表示装置に代えて液晶表示装置でも良い。
【０００５】
【作用】
遊技盤には、画像を表示し得るＣＲＴ表示装置を設け、後方ガラス板には、前記ＣＲＴ表示装置の前端部を貫通し得る開口部を形成し、ガラス扉枠を閉じたときに前記ＣＲＴ表示装置の前端面が開口部を貫通して前方ガラス板に対面するようにしたので、表示画面の大きなＣＲＴ表示装置を搭載してもパチンコ機全体としての薄型化がなし得る。このため、低コスト且つ高画質で表示画面の大きなＣＲＴ表示装置を搭載したパチンコ機をパチンコ島台に設置することができる。また、ＣＲＴ表示装置に代えて液晶表示装置を設けた場合には、従来、遊技盤とほぼ同一平面内に配置された液晶表示装置の表示画面を遊技者側に近付けることができるため、液晶表示装置による画像表示をより迫力のあるものとすることができると共に、液晶表示装置の後端部分を遊技盤の厚み内、又は少なくとも遊技盤の裏面に取り付けられる入賞玉集合カバーの空間内に収めることができるので、遊技盤の裏面構造を簡素化することができる。
【０００６】
【実施例】
以下、図面を参照して、本発明の実施例について説明する。まず、図１を参照して実施例に係るパチンコ機１の構成について説明する。図１は、パチンコ機１の正面図である。図において、パチンコ機１の額縁状に形成された前面枠２の開口には、金枠３が周設されている。そして、その金枠３には、本実施例の要部を構成するガラス扉枠４（開放状態を図示）と前面扉板５とが開閉自在に設けられている。なお、ガラス扉枠４の構成については後に詳述するものである。ガラス扉枠４の後方には、遊技盤６が配置され、前面扉板５の表面には、打球を貯留し、かつ図示しない打球発射位置に打球を供給する上皿７が固定されている。さらに、前面枠２の下方には、打球の発射力を調整する操作ハンドル８、前記上皿７に貯留しきれなかった景品玉を貯留する下皿９、及び灰皿１０が設けられている。
【０００７】
前記遊技盤６の前面には、ほぼ円状に設けられる誘導レール１１によって区画された遊技領域１２が形成されている。遊技領域１２のほぼ中央には、本実施例の要部を構成するＣＲＴ表示装置（画像表示装置）１３が配置されている。このＣＲＴ表示装置１３は、後述する始動入賞口２１ａ〜２１ｃに入賞した入賞玉数を記憶した旨を報知する始動記憶表示器１４と、３列の図柄列を変動表示し得るＣＲＴセット１５（陰極管）とを含んでいる。始動記憶表示器１４は、ＣＲＴセット１５の変動表示中又は大当り状態中のときに打球が始動入賞口２１ａ〜２１ｃに入賞したときに記憶保留され、その保留された数だけ始動記憶表示器１４が点灯し、ＣＲＴセット１５の変動開始毎に１つずつ消灯するようになっている。ただし、その記憶数は、最高４個までとされ、それ以上の始動入賞は、無効とされる。なお、ＣＲＴセット１５に表示される図柄列は、遊技者から見て３つ見えるようになっており、したがって、３つの図柄列が停止したときに縦横３つずつの図柄が表示されることになる。そして、横３本及び斜め２本の当りライン上に予め定めた図柄（例えば、同一図柄）が表示されているときには、大当り遊技状態となり、後述するように変動入賞装置１６を駆動制御して短時間に多数の入賞玉が発生するようになっている。
【０００８】
また、上記ＣＲＴ表示装置１３の下方には、変動入賞装置１６が配置されている。変動入賞装置１６は、開閉板１７を有しており、その開閉板１７がアタッカーソレノイド１８によって開閉駆動されるようになっている。また、変動入賞装置１６には、開閉板１７が開放した状態で受け入れた入賞玉を検出する入賞玉数検出スイッチ１９と開閉板１７内に形成されるＶ入賞口に入賞した入賞玉を検出するＶ入賞玉検出スイッチ２０とが設けられている。上記のように構成される変動入賞装置１６は、前記大当り遊技状態となったときに開閉板１７が一定時間（例えば、３０秒）経過するまで、あるいは所定個数（例えば、１０個）の入賞玉が発生するまで開放し、そのような開放状態をＶ入賞口に入賞玉が入賞することを条件として所定回数（例えば、１６回）繰り返すようになっている。そして、入賞玉数検出スイッチ１９は、開閉板１７の１回の開放中に受け入れられる入賞玉数を計数するために使用され、Ｖ入賞玉検出スイッチ２０は、開閉板１７が繰り返して開放される条件を検出するために使用されるものである。
【０００９】
また、遊技領域１２には、始動入賞口２１ａ〜２１ｃが設けられている。この始動入賞口２１ａ〜２１ｃは、ＣＲＴ表示装置１３の図柄列の変動表示を許容するものであり、このため、始動入賞口２１ａ〜２１ｃは、それぞれ打球の入賞を検出する始動入賞玉検出スイッチ２２ａ〜２２ｃを内蔵している。また、始動入賞口２１ａは、ＣＲＴ表示装置１３と変動入賞装置１６との間に、始動入賞口２１ｂ・２１ｃは、変動入賞装置１６の開閉板１７の左右にそれぞれ配置されている。
【００１０】
さらに、遊技領域１２には、ＣＲＴ表示装置１３の上部及び両側に入賞口２３ａ〜２３ｃが設けられ、変動入賞装置１２の斜め上方左右に入賞口２３ｄ・２３ｅが設けられている。これらの入賞口２３ａ〜２３ｅには、図示しないが各種の遊技状態に応じて点灯したり点滅したりする動作ランプが内蔵されている。また、遊技領域１２の左右両側には、大当り遊技状態となったときに点滅してその旨を遊技者に報知する大当りランプ２４ａ・２４ｂも配置されている。また、遊技領域１２の最下方には、上記した入賞口等に入賞しない打球が回収されるアウト口２５も設けられている。
【００１１】
次に、本実施例の要部を構成するガラス扉枠４の構成について説明する。ガラス扉枠４は、その裏面に前後の各ガラス収納溝４０ａ・４０ｂを所定間隔にて条設した額縁状のガラス保持枠４０を備えており、該ガラス保持枠４０の各ガラス収納溝４０ａ・４０ｂには、それぞれ前方及び後方の各ガラス板４１・４２が上方から収納されるようになっている。また、後方ガラス板４２には、図２に示すように、前記ＣＲＴ表示装置１３の前端部を貫通し得る開口部４２ａを形成し、前記ガラス扉枠４を閉じたときに前記ＣＲＴ表示装置１３の前端面である透明な保護板１３ａを前記前方ガラス板４１に対面させるようになっている。このため、従来のように、前記ＣＲＴ表示装置１３を後方ガラス板４２の後面側に保護板１３ａを対面させた状態（図２に一点鎖線で示す）に比べて、本実施例では、前方及び後方の各ガラス板４１・４２間の距離に相当する距離ＬだけＣＲＴ表示装置１３の後端部１３ｂが前方側に移動されて遊技盤６に取り付けられるようになっている。
【００１２】
次に、図３を参照して本実施例のパチンコ機１を設置するパチンコ島台３０の構成について説明する。パチンコ島台３０は、木製や金属製の支柱でほぼ直方体状に骨組み形成され、その長手方向に沿って多数のパチンコ機１を背向列設するようになっている。そして、各パチンコ機１の上部には、呼出ランプ装置（図示しない）が取り付けられる上部装飾板３１がパチンコ島台３０の長手方向に沿って張り付けられ、その上部装飾板３１の上部に複数の幕板３２が開閉自在に設けられている。１つの幕板３２は、パチンコ機１の２、３台分に対応する長さを有し、一般的に模様や図柄が描かれてパチンコ島台３０の装飾効果を高めるようになっている。また、幕板３２は、パチンコ島台３０の内部上方に配置される補給樋（図示しない）で玉詰まり等のトラブルが生じたときに開放して、迅速にそのトラブルに対応できるようにしている。また、前記上部装飾板３１に取り付けられる呼出ランプ装置は、パチンコ島台３０に設置される各パチンコ機１にそれぞれ対応するように設けられると共に、近年においては、内蔵されるランプを被覆するランプカバーの形状や色彩にいろいろなデザインを付与して、その装飾効果を高めている。一方、パチンコ島台３０の下部には、腰板３３が張り付けられ、この腰板３３と前記パチンコ機１の下部との間にパチンコ島台３０にほぼ直交するように外側に向かって突設されるカウンター台３４が設けられている。
【００１３】
ところで、上記のようなパチンコ島台３０に背向して設置される各パチンコ機１・１間の設置間距離Ｗは、遊技場におけるパチンコ島台３０の占有面積の削減等から、必要最小限の値に設定されている。これに対して、本実施例のパチンコ機１では、前述のようにＣＲＴ表示装置１３が従来の配置状態（図２及び図３に一点鎖線で示す）から距離Ｌだけ前方側に移動されて遊技盤６に取り付けられている。このため、従来の配置状態では、各後端部１３ｂ・１３ｂが干渉し合ってパチンコ島台３０にパチンコ機１が設置し得ない奥行きの広い（大型の）ＣＲＴ表示装置１３でも、本実施例のように後方ガラス板４２に開口部４２ａを設けて配置位置を前方側に距離Ｌだけ移動させ、各後端部１３ｂ・１３ｂ間を距離２Ｌ広めた構造を採った場合には、各後端部１３ｂ・１３ｂ間での干渉が回避でき、結果として、表示画面の大きなＣＲＴ表示装置１３を搭載したパチンコ機１をパチンコ島台３０に設置することができる。
【００１４】
以上のように、本実施例に係るパチンコ機１は、遊技盤６には、画像を表示し得るＣＲＴ表示装置１３を設け、後方ガラス板４２には、前記ＣＲＴ表示装置１３の前端部を貫通し得る開口部４２ａを形成し、ガラス扉枠４を閉じたときに前記ＣＲＴ表示装置１３の保護板１３ａを前方ガラス板４１に対面させたので、表示画面の大きなＣＲＴ表示装置１３を搭載してもパチンコ機１全体としての薄型化がなし得る。このため、低コスト且つ高画質で表示画面の大きなＣＲＴ表示装置１３を搭載したパチンコ機１をパチンコ島台３０に設置することができる。
【００１５】
なお、上記実施例は、本発明を限定するものではなく、本発明の範囲内で種々の変更が可能である。例えば、上記実施例では、入賞口へのパチンコ玉の入賞に伴って景品玉を払い出す単なるパチンコ機について例示しているが、入賞の組合せによって成立する得点に対応して景品玉を払い出すアレンジ式のパチンコ機であっても構わない。また、上記実施例では、ＣＲＴ表示装置を遊技に係る図柄を電気的に変動表示する変動表示装置として適用しているが、特にこれに限定するものではなく、遊技内容や遊技場等の情報画像、あるいはテレビやビデオ等の映像画像を表示する画像表示装置として適用することも可能である。
【００１６】
なお、本実施例中に記載のガラス板４１・４２は、それぞれ１枚板に限定するものではなく、複数のガラス板を合成樹脂製の枠に前後から貼り合せてなる複層ガラスセットであっても良い。また、これらの各ガラス板４１・４２とは、ガラス材料からなるものだけを限定する記載ではなく、合成樹脂等の透明板材を含んだものとする。さらには、本実施例に記載した後方ガラス板４２に開口部４２ａを形成して、表示装置の前端が前方ガラス板４１に対面される技術思想は、液晶表示装置（他の表示装置でも良い）にも応用することができる。この場合では、従来、遊技盤とほぼ同一平面内に配置された液晶表示装置の表示画面を遊技者側に近付けることができるため、液晶表示装置による画像表示をより迫力のあるものとすることができると共に、液晶表示装置の後端部分を遊技盤の厚み内、又は少なくとも遊技盤の裏面に取り付けられる入賞玉集合カバーの空間内に収めることができるので、遊技盤の裏面構造を簡素化することができる。さらに、上記した技術思想をセンター役物にも応用することができる。この場合には、センター役物内の入賞玉の動きや可動部材の動きをより近くで視認できるため、従来とは異なる興趣を遊技者に与えることができる。
【００１７】
【発明の効果】
以上、説明したところから明らかなように、本発明においては、遊技盤には、画像を表示し得るＣＲＴ表示装置を設け、後方ガラス板には、前記ＣＲＴ表示装置の前端部を貫通し得る開口部を形成し、ガラス扉枠を閉じたときに前記ＣＲＴ表示装置の前端面が開口部を貫通して前方ガラス板に対面するようにしたので、表示画面の大きなＣＲＴ表示装置を搭載してもパチンコ機全体としての薄型化がなし得る。このため、低コスト且つ高画質で表示画面の大きなＣＲＴ表示装置を搭載したパチンコ機をパチンコ島台に設置することができる。また、ＣＲＴ表示装置に代えて液晶表示装置を設けた場合には、従来、遊技盤とほぼ同一平面内に配置された液晶表示装置の表示画面を遊技者側に近付けることができるため、液晶表示装置による画像表示をより迫力のあるものとすることができると共に、液晶表示装置の後端部分を遊技盤の厚み内、又は少なくとも遊技盤の裏面に取り付けられる入賞玉集合カバーの空間内に収めることができるので、遊技盤の裏面構造を簡素化することができる。
【図面の簡単な説明】
【図１】本実施例におけるＣＲＴ表示装置が適用されるパチンコ機の正面図である。
【図２】上記パチンコ機でのＣＲＴ表示装置の配置位置を示す要部断面図である。
【図３】上記パチンコ機が適用されるパチンコ島台の断面図である。
【符号の説明】
１  パチンコ機
４  ガラス扉枠
６  遊技盤
１３  ＣＲＴ表示装置（画像表示装置）
１３ａ  保護板（前端面）
４１  前方ガラス板
４２  後方ガラス板
４２ａ  開口部
【図１】
0003561951.tif 000002
【図２】
0003561951.tif 000003
【図３】
0003561951.tif 000004